(57)【特許請求の範囲】
【請求項１】
モールド成形された絶縁体からなるハウジングと、該ハウジングに、一方向に往復移動可能に収納されているスライダーと、前記ハウジング内に設置され、前記スライダーに圧接されている節度用金属ばねとを有し、
前記スライダーには、該スライダーとともに移動する可動接触片が設置されているとともに、前記節度用金属ばねが圧接されている面に、金属ばね節度用段差部を備え、
前記ハウジングの内面には、前記可動接触片が接離される固定接点を前記スライダーの移動方向に間隔を隔てて複数備えているスライドスイッチにおいて、
前記ハウジングには、その内面に片持式に突設され前記スライダーに圧接されている節度用樹脂ばねを一体に備え、前記スライダーには、前記節度用樹脂ばねが圧接されている面に樹脂ばね節度用段差部を備え、前記スライダーの往復動作時に前記節度用金属ばね及び前記節度用樹脂ばねが前記各段差部を通過することによって一つの節度感が得られるようにしたことを特徴とするスライドスイッチ。
【請求項２】
前記節度用段差部及び樹脂ばね節度用段差部は、前記スライダーがスライド移動され、前記節度用金属ばねが前記節度用段差部を上る際に、略同時に前記節度用樹脂ばねも樹脂ばね節度用段差部を上る位置に形成されている請求項１に記載のスライドスイッチ。
【請求項３】
前記節度用段差部と前記樹脂ばね節度用段差部は、前記スライダーの同一面に形成されている請求項１又は２に記載のスライドスイッチ。
【発明の詳細な説明】
【技術分野】
【０００１】
本発明は、ポータブルオーディオ、デジタルカメラ、携帯電話等に使用される小型のスライドスイッチに関する。
【背景技術】
【０００２】
従来、小型のスライドスイッチとしては、例えば、図５に示すスライドスイッチがある。このスライドスイッチ１は、内面に固定接点２を有する箱型のハウジング３と、このハウジング３内に設置されている一方向に往復移動可能なスライダー４と、ハウジング３の開口を塞ぐように設置されている金属製のカバー５と、このカバー５と一体に設けられた節度用金属ばね６を有している。
【０００３】
節度用金属ばね６には、凸部７が設けられており、この凸部７は、スライダー４の外側面に当接されている。また、スライダー４の外側面には凸状の節度用段差部８が形成されており、節度用金属ばね６の凸部７が、摺接するようになっている。そして、スライダー４をスライドさせた際には、スライダー４に圧接されている節度用金属ばね６の凸部７が、スライダー４の節度用段差部８を乗り越え、節度感を生じさせるようになっている。
【特許文献１】特開平２−２４９２６号公報
【発明の開示】
【発明が解決しようとする課題】
【０００４】
このような従来のスライドスイッチ１は、小型化すると、節度用金属ばね６の長さも小さくなるため、節度感を維持するためには、節度用金属ばね６の荷重を高める必要があった。しかし、節度用金属ばね６の荷重を高めると、節度用金属ばね６が当接しているスライダー４の節度用段差部８が削れてしまい、良好な節度感を保てないという問題があった。また、節度用金属ばね６の荷重を上げると、節度用金属ばね６が折れ易くなり、スライドスイッチ１の寿命が短くなるという問題があった。
【０００５】
そこで、本発明は、このような従来の問題に鑑み、小型化、薄型化した際にも、好適な節度感を有するとともに、耐久性の高いスライドスイッチを提供することを目的とする。
【課題を解決するための手段】
【０００６】
上述の如き従来の問題を解決し、所期の目的を達成するための請求項１に記載の発明の特徴は、モールド成形された絶縁体からなるハウジングと、該ハウジングに、一方向に往復移動可能に収納されているスライダーと、前記ハウジング内に設置され、前記スライダーに圧接されている節度用金属ばねとを有し、前記スライダーには、該スライダーとともに移動する可動接触片が設置されているとともに、前記節度用金属ばねが圧接されている面に、金属ばね節度用段差部を備え、前記ハウジングの内面には、前記可動接触片が接離される固定接点を前記スライダーの移動方向に間隔を隔てて複数備えているスライドスイッチにおいて、前記ハウジングには、その内面に片持式に突設され前記スライダーに圧接されている節度用樹脂ばねを一体に備え、前記スライダーには、前記節度用樹脂ばねが圧接されている面に樹脂ばね節度用段差部を備え、前記スライダーの往復動作時に前記節度用金属ばね及び前記節度用樹脂ばねが前記各段差部を通過することによって一つの節度感が得られるようにしたことにある。
【０００７】
請求項２に記載の発明の特徴は、請求項１に記載の構成に加え、前記節度用段差部及び樹脂ばね節度用段差部は、前記スライダーがスライド移動され、前記節度用金属ばねが前記節度用段差部を上る際に、略同時に前記節度用樹脂ばねも樹脂ばね節度用段差部を上る位置に形成されていることにある。
【０００８】
請求項３に記載の発明の特徴は、請求項１又は２に記載の構成に加え、前記節度用段差部と前記樹脂ばね節度用段差部は、前記スライダーの同一面に形成されていることにある。
【発明の効果】
【０００９】
本発明に係るスライドスイッチは、モールド成形された絶縁体からなるハウジングと、ハウジングに、一方向に往復移動可能に収納されているスライダーと、ハウジング内に設置され、スライダーに圧接されている節度用金属ばねとを有し、スライダーには、スライダーとともに移動する可動接触片が設置されているとともに、節度用金属ばねが圧接されている面に、金属ばね節度用段差部を備え、ハウジングの内面には、可動接触片が接離される固定接点をスライダーの移動方向に間隔を隔てて複数備えているスライドスイッチにおいて、ハウジングには、その内面に片持式に突設されスライダーに圧接されている節度用樹脂ばねを一体に備え、スライダーには、節度用樹脂ばねが圧接されている面に樹脂ばね節度用段差部を備え、スライダーの往復動作時に節度用金属ばね及び節度用樹脂ばねが各段差部を通過することによって一つの節度感が得られるようにしたことにより、スイッチの節度感を損なわずに、節度用金属ばねの負担を軽くすることができるので、スライドスイッチを高寿命化することができる。
【００１０】
更に、スライダーがスライド移動され、節度用金属ばねが節度用段差部を上る際に、略同時に節度用樹脂ばねも樹脂ばね節度用段差部を上るように形成することにより、好適な節度感を得ることができるとともに、スライドスイッチの耐久性を高めることができる。
【００１１】
更に、節度用段差部と樹脂ばね節度用段差部を、スライダーの同一面に形成することにより、スライドスイッチを好適に小型化できるとともに、節度用金属ばねの負担をより軽くすることができ、スライドスイッチの耐久性をより高めることができる。
【発明を実施するための最良の形態】
【００１２】
次に、本発明の実施の形態を図１〜図４に基づいて説明する。
【００１３】
図１は、本発明におけるスライドスイッチの一例を示している。このスライドスイッチ１１は、モールド成形された絶縁体からなるハウジング１２と、このハウジング１２内に、一方向に往復移動可能に収納されているスライダー１３と、ハウジング１２内に設置され、スライダー１３に圧接されている節度用金属ばね１４と、ハウジング１２と一体に形成され、スライダー１３に当接している節度用樹脂ばね１５，１５とを有している。そして、スライダー１３をスライドさせた際に、節度用金属ばね１４と節度用樹脂ばね１５，１５全体で略１つの節度感を生じさせるようになっている。
【００１４】
ハウジング１２は、略四角箱状に形成され、その側壁には、操作レバー挿入用穴１２ａが形成されている。そして、この操作レバー挿入用穴１２ａからスライダー１３に備えられている操作レバー１３ａがハウジング１２の外側に突出するようになっている。そして、この操作レバー１３ａを操作することによって、スライダー１３をスライドさせ、スイッチの切り換えを行う。また、このハウジング１２には、金属製のカバー２２が装着されて、ハウジング１２が閉じられるようになっている。
【００１５】
このハウジング１２の内底面には、複数の固定接点１６ａ，１６ｂ，１６ｃ，１６ｄがスライダー移動方向に間隔を開けて設置されている。この固定接点１６ａ，１６ｂ，１６ｃ，１６ｄは、金属製の端子板をインサート成形によってハウジング１２に取り付け、端子板の一方側の端部をハウジング１２内面に露出させてなるものである。また、端子板の他方側の端部はハウジング１２の外部に露出させ、電気回路に接続する接続端子１７，１７・・・・・・としている。
【００１６】
この固定端子１６ａ，１６ｂ，１６ｃ，１６ｄには、スライダーに設置されている可動接触片２１が摺接されるようになっている。この可動接触片２１は、スライダー１３の底面に設置され、スライダー１３とともに移動するようになっている。可動接触片２１は、導電性金属からなり、板状の胴部と、その胴部の両端から斜め下方に向かって延びている腕部を有している。そして、胴部がスライダー１３に設置され、腕部の先端が固定接点１６ａ，１６ｂ，１６ｃ，１６ｄに接触するようになっている。
【００１７】
この可動接触片は、図２に示すように、固定接点１６ｂと固定接点１６ｄ間を電気的に接続するようになっており、また、スライダー１３をスライドさせた際には、固定接点１６ａと固定接点１６ｃ間を接続するようになっており、電気回路の切り替えができるようになっている。
【００１８】
また、ハウジング１２内には、節度用金属ばね１４が設置されている。この節度用金属ばね１４は、金属製の板ばねであり、略山状に形成され、その頂点に凸状の摺接用突起１４ａが形成されている。そして、この凸状の摺接用突起１４ａがスライダー１３に摺接されている。
【００１９】
更に、ハウジング１２の内部には、ハウジング１２と一体成形された一対の節度用樹脂ばね１５，１５が備えられている。この節度用樹脂ばね１５，１５は、略板状に形成されており、ハウジング１２内の両端面からハウジング中央方向側に向けて片持ち式に突設されている。また、この節度用樹脂ばね１５，１５は、互いにその自由端側の先端を対向させて、スライダー１３のスライド方向と平行に突設されている。また、節度用樹脂ばね１５，１５の自由端側先端部片側面には、スライダー摺接用突起部１５ａが形成されており、これがスライダー１３に摺接されるようになっている。節度用樹脂ばね１５のスライダー摺接用突起部１５ａが形成されている部分は、節度用樹脂ばね１５，１５の根元部１５ｂより幅が狭く形成されている。
【００２０】
節度用樹脂ばね１５，１５は、ハウジング１２の操作レバー挿入用穴１２ａが形成されている側壁と略平行に形成され、この節度用樹脂ばね１５，１５とハウジング１２の操作レバー挿入用穴１２ａが形成されている側壁との間に、スライダー１３が設置されている。このスライダー１３は、節度用樹脂ばね１５，１５と側壁によって挟まれており、側壁に沿って、節度用樹脂ばねの突出方向にスライドするようになっている。
【００２１】
また、この節度用樹脂ばね１５，１５と、ハウジング１２の操作レバー挿入用穴１２ａが形成されている側壁とは反対側の側壁との間には、節度用金属ばね１４が挿入されて設置されている。そして、節度用樹脂ばね１５，１５の先端間に、節度用金属ばね１４の摺接用突起１４ａが位置するようになっている。
【００２２】
節度用樹脂ばね１５，１５と側壁の間に設置されているスライダー１３は、直方体状に形成されているスライダー本体１３ｂと、このスライダー本体１３ｂの一面から突出した操作レバー１３ａからなっている。そして、スライダー本体１３ｂの固定接点１６ａ，１６ｂ，１６ｃ，１６ｄに向き合う面には、可動接触片２１を設置するための突起２３が形成されている。この突起２３を可動接触片２１の胴部に形成されている円形孔に挿入することにより、可動接触片２１をスライダー１３に設置している。
【００２３】
スライダー本体１３ｂの側面の節度用金属ばね１４が圧接されている面であるばね摺接面２４には、節度用金属ばね１４が摺接することによって節度感が得られる金属ばね用段差部２５が設けられている。この金属ばね用段差部２５は、スライダー１３の側面のスライド方向略中央に、スライド方向に対向するように設けられた断面略台形状の突条からなり、節度用金属ばね１４が摺接されるようになっている。そして、節度用金属ばね１４の摺接用突起１４ａが、この突条を乗り越える際、即ち、突条の一方側から他方側へ通過する際に、節度感が得られるようになっている。
【００２４】
また、スライダー本体１３ｂのばね摺接面２４には、樹脂ばね節度用段差部２６（以下、樹脂ばね用段差部２６と記す）が設けられている。この樹脂ばね用段差部２６は、ばね摺接面２４に、節度用樹脂ばねの付勢方向に段差を設けてなるものであり、節度用樹脂ばね１５，１５に対応して、金属ばね用段差部２５の両側に設けられている。
【００２５】
この樹脂ばね用段差部２６は、傾斜部２６ａを備えており、この傾斜部２６ａに節度用樹脂ばね１５のスライダー摺接用突起部１５ａが摺接されるようになっている。そして、スライダー摺接用突起部１５ａが傾斜部２６ａを上る際、或いは、下りる際に節度感が生じるようになっている。
【００２６】
樹脂ばね用段差部２６は、スライダー１３のスライド方向両端部に形成されており、スライダー本体１３ｂのばね摺接面２４中央に形成されている金属ばね用段差部２５である突条の両側に、この突条と所定の間隔を開けて略平行に溝２７，２７を設けることによって形成されている。即ち、この溝２７，２７のスライダー本体１３ｂ端部側の側面が傾斜部２６ａ，２６ａとなっている。
【００２７】
そして、この傾斜部２６ａにスライダー摺接用突起部１５ａが当接されること及び、同時に金属ばね用段差部２５の傾斜面に節度用金属ばね１４の摺接用突起１４ａが当接されることにより、スライダー１３のスライド方向の移動が抑制され、操作時以外のスライダー１３の誤移動を防止するようになっている。
【００２８】
また、スライダー本体１３ｂのばね摺接面２４におけるスライド方向両端部は、樹脂ばね用段差部２６を含む凸部２８となっており、スライダー１３をスライドした際には、節度用樹脂ばね１５のスライダー摺接用突起部１５ａが、この凸部２８を乗り越えるようになっている。そして、その際には、略同時に、節度用金属ばね１４が金属ばね用段差部２５を乗り越えるようになっている。
【００２９】
また、節度用樹脂ばね１５，１５のスライダー摺接用突起部１５ａは、節度用樹脂ばね１５，１５のスライダー１３当接面先端側に山状に形成されているものであり、このスライダー摺接用突起部１５ａの先端側の斜面は、なだらかに形成されて緩斜面となっており、スライダー１３をスライドさせた際には、スライダー１３の凸部２８が容易にスライドされるようになっている。
【００３０】
また、スライダー摺接用突起部１５ａの節度用樹脂ばね１５，１５根元側の斜面は、節度感が得られるように急勾配に形成された急斜面となっており、スライダー１３をスライドさせた際に、凸部２８がこの急斜面を通過する際には、節度感が生じるようになっている。
【００３１】
節度用樹脂ばね１５の先端、即ちスライダー摺接用突起部１５ａの緩斜面の先端には、支持突起１５ｃが形成されている。この節度用樹脂ばね１５の支持突起１５ｃは、スライダー１３のばね摺接面２４に向けて突設されており、スライダー１３のばね摺接面２４に摺接されるようになっている。また、この支持突起１５ｃは、スライダー摺接用突起部１５ａより低く突出されており、節度用樹脂ばね１５におけるスライダー摺接用突起部１５ａの頂点と、支持突起１５ｃの頂点の高低差は、スライダー１３の溝２７の深さと略等しくなるように形成されている。そして、スライダー１３の溝２７に節度用樹脂ばね１５のスライダー摺接用突起部１５ａが当接している際には、溝２７の縁部に支持突起１５ｃが当接されるようになっている。
【００３２】
このスライドスイッチ１１は、図４（ａ）に示すように、一方の節度用樹脂ばね１５のスライダー摺接用突起部１５ａがスライダー１３の一方側の溝２７底部及び傾斜部２６ａに当接され、他方の節度用樹脂ばね１５の支持突起１５ｃが凸部２８に当接されている状態から、スライダー１３をスライドさせてスイッチの切り換えを始めると、この一方の節度用樹脂ばね１５のスライダー摺接用突起部１５ａが、スライダー１３の一方側の傾斜部２６ａを上り、一方の節度用樹脂ばね１５が、図４（ｂ）に示すように、その根元を支点としてスライダー１３とは反対方向に弾性変形するようになっている。また、その際には、節度用金属ばね１４も  スライダー１３の金属ばね用段差部２５によって押し込まれて弾性変形し、また、スライダー１３の他方側の凸部２８が、他方の節度用樹脂ばね１５のスライダー摺接用突起部１５ａのなだらかな斜面に差し掛かり、他方の節度用樹脂ばね１５も弾性変形を始めるようになっている。この時、一方の節度用樹脂ばね１５と節度用金属ばね１４によって、スイッチの切り換え開始の節度感が生じるようになっている。
【００３３】
そのまま、スライダー１３をスライドさせると、図４（ｃ）に示すように、他方の節度樹脂ばね１５のスライダー摺接用突起部１５ａが、スライダー１３の他方側の凸部２８を乗り越え、スライダー１３の他方側の溝２７に当接されるようになっている。また、同時に節度用金属ばね１４が金属ばね用段差部２５を乗り越えるようになっている。この時、他方の節度用樹脂ばね１５と節度用金属ばね１４によって、スイッチの切り換え終了の節度感が生じるようになっている。また、スイッチの切り換えが終了した際には、一方の節度用樹脂ばね１５の支持突起１５ｃは、一方側の凸部２８に当接するようになっている。また、この際には、この支持突起１５ｃのみがスライダー１３と接した状態となっている。このように、スライダー１３は、ハウジング１２内の一方側端部と他方側端部との間を往復移動するようになっている。
【００３４】
尚、スライダー１３の金属ばね用段差部２５と樹脂ばね用段差部２６のセットを複数設け、多段スイッチとしてもよい。また、金属ばね用段差部２５と樹脂ばね用段差部２６は、別の面に設けてもよい。また、操作レバー１３ａは、スライダー１３のばね摺接面２４の反対側面に形成されているが、他の面に形成してもよい。また、金属製のカバー２２に操作レバー挿入用穴を設けてもよい。
【図面の簡単な説明】
【００３５】
【図１】本発明に係るスライドスイッチのカバーを取った状態を示す平面図である。
【図２】本発明に係るスライドスイッチを示す断面図である。
【図３】同上の正面図である。
【図４】（ａ）〜（ｃ）  同上の切り替えを行う際の説明図である。
【図５】従来のスライドスイッチを示す断面図である。
【符号の説明】
【００３６】
１  スライドスイッチ
２  固定接点
３  ハウジング
４  スライダー
５  カバー
６  節度用金属ばね
７  凸部
８  節度用段差部
１１  スライドスイッチ
１２  ハウジング
１２ａ  操作レバー挿入用穴
１３  スライダー
１３ａ  操作レバー
１３ｂ  スライダー本体
１４  節度用金属ばね
１４ａ  摺接用突起
１５  節度用樹脂ばね
１５ａ  スライダー摺接用突起部
１５ｂ  根元部
１５ｃ  支持突起
１６ａ  固定接点
１６ｂ  固定接点
１６ｃ  固定接点
１６ｄ  固定接点
１７  接続端子
２１  可動接触片
２２  カバー
２３  突起
２４  ばね摺接面
２５  金属ばね用段差部
２６  樹脂ばね節度用段差部
２６ａ  傾斜部
２７  溝
２８  凸部
【図１】
0004815636.tif 000002
【図２】
0004815636.tif 000003
【図３】
0004815636.tif 000004
【図４】
0004815636.tif 000005
【図５】
0004815636.tif 000006